(57)【要約】【課題】組立、分解が容易で且つ携帯可能で、屋内の素振り等の練習だけでなく、ゴルフ練習場に於ける実際の打撃練習にも使用可能なゴルフと野球等の素振り練習に併用可能なゴルフ、野球等のスウイング練習機は提案されていない。【解決手段】水平截断頭部面と、その中心に下方に向かって僅かに小径となる形状の第１嵌合穴と、それに隣接して平行な第２嵌合穴を有する所要高さ及び直径とを有する円錐形台座と；本体長手方向に目盛りを付し、周縁に所要幅の切欠部を形成し、該本体下端近くに水平且つ一体の円盤状ストッパを有する基準用シャフトとから成り；所望に応じ該基準用シャフトの該下端を該第１又は該第２嵌合穴に嵌合して屋内の素振り等の練習と、ゴルフ練習場の実際の打撃練習にも使用し、しかも該基準用シャフトを該円錐形台座から取外して飛球線に平行に置くと、スタンス調整等に利用し、ボールの位置を確認して常に正しい場所にボールをセットし易くなる。【選択図】図１
2006187379.tif 000002
【特許請求の範囲】
【請求項１】
所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有する所要高さ及び直径とを有する円錐形台座と；所要長さと直径を有する本体長手方向に所要の目盛りを付し、所要長さ、直径及び厚みを有し、周縁に所要幅の切欠部を形成し、該本体下端近くに一体に設けられた円盤状ストッパを有し、所望に応じ該本体下端が該第１嵌合穴又は該第２嵌合穴に選択的且つ部分的に嵌合される基準用シャフトとから成るゴルフ、野球等のスウイング練習機。
【請求項２】
所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有する所要高さ及び直径とを有するゴム、アルミニウム、軽合金等製円錐形台座と；所要長さ、直径及び厚みを有し、周縁に所要幅の切欠部を形成し、本体下端近くに円盤状ストッパを有し、所望に応じ該本体下端が該第1嵌合穴又は該第2嵌合穴に選択的且つ部分的に嵌合される軽合金製基準用シャフトとから成る請求項１記載のゴルフ、野球等のスウイング練習機。
【請求項３】
所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有するゴム、アルミニウム、軽合金等製円錐形台座と；所要長さと直径を有する本体長手方向に所要の目盛りを付し、所要長さ、直径及び厚みを有し、周縁に所要幅の切欠部を形成し、該本体下端近くに一体に設けられた円盤状ストッパを有し、所望に応じ該本体下端が該第1嵌合穴又は該第2嵌合穴に選択的且つ部分的に嵌合される軽合金製基準用シャフトとから成り、該軽合金製基準用シャフトを該円錐形台座から取外し、独立して素振り、スタンス調整等に使用可能とするゴルフ、野球等のスウイング練習機。
【発明の詳細な説明】
【技術分野】
【０００１】
この発明は、ゴルフ、野球等のスウイング練習機に関し、更に詳しくは組立、分解が容易で且つ携帯可能であるから、屋内の素振り等の練習だけでなく、ゴルフ練習場に於ける実際の打撃練習にも使用可能なゴルフと野球等の素振り練習に併用可能なゴルフ、野球等のスウイング練習機に関するものである。
【背景技術】
【０００２】
各種のゴルフ練習機に関する発明、考案が多数提案されており、例えば、
【特許文献１】特開２００４−１６７１７７号公報（球筋のわかるゴルフ練習機）、
【特許文献２】特開２００４−３２１６３１号（ゴルフ練習機）等が挙げられる。
【発明の開示】
【発明が解決しようとする課題】
【０００３】
従来提案されている特許文献１記載のものは、グリーン回り２０〜３０ヤードのチップ・ショット（ｃｈｉｐ  ｓｈｏｔ）のゴルフ練習機であって、打ったボールが足元に戻って来る構成とし、ボールを取りに行く手間を省くことを目的とし、特許文献２記載のものは、狭い場所でのゴルフ練習で、打球の球筋がスライス系であるかドロー系であったかを確認できることを可能とするゴルフ練習機である。
【０００４】
前述の通り、公知のゴルフのスウイング練習機は、ヒッティング（ｈｉｔｔｉｎｇ）に於ける練習者の身体（腰）の揺れ（ｓｗａｙ、スウエイ）を抑制し、身体の左側にセット（ｓｅｔ）すれば、ダウン・スウイング（ｄｏｗｎ  ｓｗｉｎｇ）時の左側への揺れ（ｓｗａｙ、スウエイ）や突っ込み、左膝の伸び等を抑えることを全く考慮していない。
【０００５】
又、身体の右側にセット（ｓｅｔ）すれば、テイク・バック（ｔａｋｅ  ｂａｃｋ）時の右腰の揺れ（ｓｗａｙ、スウエイ）、右腰の回し過ぎ、右膝の伸びや上方への伸び上がり、身体の後方へのスウイング（ｓｗｉｎｇ）のずれ等についても対策が取られていない。
【０００６】
更に、ゴルフのスウイング練習だけでなく、野球のスウイング練習にも併用可能なスウイング練習機は未だ提案されていない。
【課題を解決するための手段】
【０００７】
この発明は、前述の問題点を解決しようとするものであり、その第１要旨は、所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有する所要高さ及び直径とを有する円錐形台座と；所要長さと直径を有する本体長手方向に所要の目盛りを付し、所要長さ、直径及び厚みを有し、周縁に所要幅の切欠部を形成し、該本体下端近くに一体に設けられた円盤状ストッパを有し、所望に応じ該本体下端が該第1嵌合穴又は該第２嵌合穴に選択的且つ部分的に嵌合される基準用シャフトとから成るゴルフ、野球等のスウイング練習機である。
【０００８】
この発明の第２要旨は、所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有する所要高さ及び直径とを有する所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有する所要高さ及び直径とを有するゴム、アルミニウム、軽合金等製円錐形台座と；所要長さと直径を有する本体長手方向に所要の目盛りを付し、所要長さ、直径及び厚みを有し、周縁に所要幅の切欠部を形成し、該本体下端近くに一体に設けられた円盤状ストッパを有し、所望に応じ該本体下端が該第１嵌合穴又は該第２嵌合穴に選択的且つ部分的に嵌合される軽合金製基準用シャフトとから成るゴルフ、野球等のスウイング練習機である。
【０００９】
この発明の第３要旨は、所要直径の水平截断頭部面と、該水平截断頭部面の中心に下方に向かって僅かに小径となる形状の所要直径の第1嵌合穴と、該水平截断頭部面で該第1嵌合穴に隣接して形成され、それと同じ形状で平行に形成された第２嵌合穴を有するゴム、アルミニウム、軽合金等製円錐形台座と；所要長さと直径を有する本体長手方向に所要の目盛りを付し、所要長さ、直径及び厚みを有し、周縁に所要幅の切欠部を形成し、該本体下端近くに一体に設けられた円盤状ストッパを有し、所望に応じ該本体下端が該第1嵌合穴又は該第2嵌合穴に選択的且つ部分的に嵌合される軽合金製基準用シャフトとから成り、該軽合金製基準用シャフトを該円錐形台座から取外し、独立して素振り、スタンス調整等に使用可能とするゴルフ、野球等のスウイング練習機である。
【発明の効果】
【００１０】
（１）この発明に係るスウイング練習機は、ヒッティング（ｈｉｔｔｉｎｇ）に於ける身体（腰）の揺れ（ｓｗａｙ、スウエイ）を抑制し、該スウイング練習機を練習者身体の左側に垂直にセット（ｓｅｔ）すれば、ダウン・スウイング（ｄｏｗｎ  ｓｗｉｎｇ）時の左側への揺れ（ｓｗａｙ、スウエイ）や突っ込み、左膝の伸び等を抑えられる。
【００１１】
（２）身体の右側にセット（ｓｅｔ）すれば、テイク・バック（ｔａｋｅ  ｂａｃｋ）時の右腰の揺れ（ｓｗａｙ、スウエイ）、右腰の回し過ぎ、右膝の伸びや上方への伸び上がり等を抑えられる。
【００１２】
（３）身体の後方へセット（ｓｅｔ）すれば、スウイング（ｓｗｉｎｇ）軸のずれや傾き、上体の起き上がり等を防止可能となる。
【００１３】
（４）所望に応じ、円錐形台座の基準用シャフトの嵌合位置を変更することにより、身体の動き等の度合いを調整可能となる。
【００１４】
（５）円錐形台座を足裏で踏みながらでもスウイング（ｓｗｉｎｇ）出来るので、多種多様の練習が可能となり、所要の効果が得られる。
【００１５】
（６）左足裏外側で踏みながらスウイング（ｓｗｉｎｇ）することでダウン・スウイング（ｄｏｗｎ  ｓｗｉｎｇ）時の左腰の逃げや早すぎる腰の開きを調整出来、左側の壁を強く意識し、正しいタイミング（ｔｉｍｉｎｇ）でスウイング（ｓｗｉｎｇ）出来る。
【００１６】
（７）踵で円錐形台座を踏みながらのスウイング（ｓｗｉｎｇ）練習により、身体の前後方向のずれを矯正可能となる。
【００１７】
（８）左足裏外側で踏むことでテイク・バック（ｔａｋｅ  ｂａｃｋ）時の右膝の逃げや伸びを抑え、力強いトップ・スウイング（ｔｏｐ  ｓｗｉｎｇ）を実施し、ダウン・スウイング（ｄｏｗｎ  ｓｗｉｎｇ）時には、早すぎる体重移動を抑えて身体の正面でボールを捕まえられる。
【００１８】
（９）軽い基準用シャフトの素振りによりゴルフ・シャフトを振る感覚を身体に覚えさせ、正しいスウイング面（ｓｗｉｎｇ  ｐｌａｎｅ）を作れる。
【００１９】
（１０）基準用シャフトの下端近くに水平に一体に設けた円盤状ストッパの周縁に切欠部を形成したので飛球線と平行にセット（ｓｅｔ）しても転がらず安定している。
【００２０】
（１１）基準用シャフトを飛球線と平行にセット（ｓｅｔ）することでターゲット（ｔａｒｇｅｔ）を意識し易くなり、該基準用シャフト上の目盛りを目安にスタンスをとり、ボールの位置を確認して常に正しい場所にボールをセット（ｓｅｔ）し易くなる。
【００２１】
（１２）屋内に於けるゴルフの素振り練習だけでなく、ゴルフ練習場に於ける実際の打撃練習にも使用可能となる。
【００２２】
（１３）該スウイング練習機は、ゴルフの素振り練習だけでなく野球等のスウイング練習に使用可能である。
【００２３】
（１４）該スウイング練習機は、構成が簡易で部品点数が少ないので製作、取扱が容易であり、該円錐形台座から該基準用シャフトを取外せば容易に分解可能で所望箇所に携帯、持運び等も容易となる。
【実施例】
【００２４】
この発明に係るゴルフ、野球等のスウイング練習機の実施例を図面について説明する。図１〜３に示す通り、この発明のスウイング練習機の水平截断頭部面１０ａを有する円錐形台座１０は、底面１０bの直径が約２０cm、高さ約５cmであり、ゴム、アルミニウム、軽合金等製等とする。
【００２５】
図４、５に示す通り、該水平截断頭部面１０ａの中心に直径１５．５ｍｍで深さ５cmを有する後述の基準用シャフト２０の本体下端２０ｂを部分的に嵌合する底（底の直径１５ｍm）に向かって僅かに小径となる第1嵌合穴１０cを形成し、該第1嵌合穴１０cから所望位置、例えば約４cm離して（オフセット、ｏｆｆｓｅｔ位置に）それと同じ形状を有する第２嵌合穴１０dを平行に形成する。
【００２６】
前述の通り、該金属製基準用シャフト２０は、その軽合金製本体の高さが約８０cmで該第1嵌合穴１０cに対応する様に下方に向かって僅かに小径となる形状で底から上部に約４ｃｍの個所に周縁に切欠部２２ａを有する円盤状ストッパ２２を水平に固着したから、飛球線と平行にセット（ｓｅｔ）しても転がらず安定している。
【００２７】
図６は、この発明に係るゴルフのスウイング練習機の該円錐形台座１０を、練習者の左側に設置し、左足で部分的に踏みながらスウイングを練習している状態を示す実施例の略図である。
【００２８】
図示の通り、該金属製基準用シャフト２０の長手方向に所要の目盛り２０ａを付したので、練習者の足のスタンス調整が容易となる。
【図面の簡単な説明】
【００２９】
【図１】は、この発明に係るゴルフ、野球等のスウイング練習機の実施例の一部切欠斜視図である。
【図２】は、図１に於いて円錐形台座から基準用シャフトを取外した状態を示す一部切欠斜視図である。
【図３】は、図１の実施例の正面図である。
【図４】は、円錐形台座の平面図である。
【図５】は、図４の円錐形台座のV−V線断面略図で、第1嵌合穴内に基準用シャフトの本体下端を嵌合した一部透視断面図である。
【図６】は、この発明のスウイング練習機によりゴルフのスウイングを練習している状態を示す略図である。
【符号の説明】
【００３０】
１０      水平截断頭部面を有する円錐形台座；
１０ａ      水平截断頭部面；
１０b      底面；
１０c      第1嵌合穴；
１０d      第２嵌合穴；
２０      基準用シャフト；
２０ａ      目盛り；
２０ｂ      本体下端；
２２      円盤状ストッパ；
２２ａ      周縁の切欠部。
【図１】
2006187379.tif 000003
【図２】
2006187379.tif 000004
【図３】
2006187379.tif 000005
【図４】
2006187379.tif 000006
【図５】
2006187379.tif 000007
【図６】
2006187379.tif 000008